【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
書き込みデータに基づいてメディアの記録面にデータを書き込む書き込み処理と、印刷データに基づいて前記メディアのレーベル面に印刷する印刷処理と、を行うメディア処理装置を制御するための印刷データ処理方法であって、
前記メディアの発行処理の実行を指示するための発行指示を行う発行指示ステップと、
前記発行指示をトリガとして、任意のアプリケーションにより生成された前記レーベル面に印刷するための画像データを取得する画像データ取得ステップと、
前記画像データに基づいて印刷データを生成する印刷データ生成ステップと、
前記発行指示をトリガとして、前記書き込み処理に用いるデータを取得するデータ取得ステップと、
前記メディア処理装置に前記印刷データおよび前記書き込みデータを関連付けて出力するデータ出力ステップと、を備えたことを特徴とする印刷データ処理方法。
【請求項２】
前記データ取得ステップは、１以上のコンテンツデータを取得するためのものであり、
所定のフォーマットに基づいて、取得した前記１以上のコンテンツデータを集約したイメージファイルを生成するイメージファイル生成ステップ、をさらに備え、
前記データ出力ステップにおいて、生成した前記イメージファイルを前記書き込みデータとして出力することを特徴とする請求項１に記載の印刷データ処理方法。
【請求項３】
前記データ取得ステップは、印刷設定画面の選択に基づいて、前記書き込み処理に用いるデータを取得することを特徴とする請求項１に記載の印刷データ処理方法。
【請求項４】
前記１以上のコンテンツデータは、前記印刷設定画面により選択されることを特徴とする請求項３に記載の印刷データ処理方法。
【請求項５】
書き込みデータに基づいてメディアの記録面にデータを書き込む書き込み処理と、印刷データに基づいて前記メディアのレーベル面に印刷する印刷処理と、を行うメディア処理装置を制御するための印刷ドライバであって、
任意のアプリケーションにより生成された前記レーベル面に印刷するための画像データを取得する画像データ取得部と、
前記画像データに基づいて印刷データを生成する印刷データ生成部と、
前記書き込み処理に用いるデータを取得するデータ取得部と、
前記メディア処理装置に、前記印刷データおよび前記書き込みデータを関連付けて出力する出力制御部と、を備えたことを特徴とする印刷ドライバ。
【請求項６】
前記データ取得部は、１以上のコンテンツデータを取得するためのものであり、
所定のフォーマットに基づいて、取得した前記１以上のコンテンツデータを集約したイメージファイルを生成するイメージファイル生成部、をさらに備え、
前記出力制御部において、生成した前記イメージファイルを前記書き込みデータとして出力することを特徴とする請求項５に記載の印刷ドライバ。
【請求項７】
前記印刷ドライバは、印刷設定画面を表示させる機能を有し、
前記データ取得部は、前記印刷設定画面の選択に基づいて、前記書き込み処理に用いるデータを取得することを特徴とする請求項５に記載の印刷ドライバ。
【請求項８】
前記１以上のコンテンツデータは、前記印刷設定画面により選択されることを特徴とする請求項７に記載の印刷ドライバ。
【請求項９】
請求項５に記載の印刷ドライバを備え、前記メディア処理装置と接続されて用いられることを特徴とする制御装置。
【手続補正２】
【補正対象書類名】明細書
【補正対象項目名】発明の名称
【補正方法】変更
【補正の内容】
【発明の名称】印刷データ処理方法、印刷ドライバ、制御装置
【手続補正３】
【補正対象書類名】明細書
【補正対象項目名】０００１
【補正方法】変更
【補正の内容】
【０００１】
本発明は、メディアの記録面に書き込む書き込み処理と、メディアのレーベル面に印刷する印刷処理と、を行うメディア処理装置を制御するための印刷データ処理方法、印刷ドライバ、制御装置に関するものである。
【手続補正４】
【補正対象書類名】明細書
【補正対象項目名】０００５
【補正方法】変更
【補正の内容】
【０００５】
本発明は、上記の点に鑑み、メディア処理装置に対応していない一般的なソフトウェアで作成したデータをレーベル面に印刷する印刷処理と書き込みデータの書き込み処理を一連の動作でメディア処理装置に実行させることのできる印刷データ処理方法、印刷ドライバ、制御装置を提供することを課題とする。
【手続補正５】
【補正対象書類名】明細書
【補正対象項目名】００１８
【補正方法】変更
【補正の内容】
【００１８】
以下、添付の図面を参照し、本発明の一実施形態にかかる印刷データ処理方法、印刷ドライバ、制御装置について説明する。図１は、本実施形態のメディア処理システムＳＹの機能構成を示したブロック図である。図示のように、メディア処理システムＳＹは、光学記録媒体（メディア）であるディスクＤに対して書き込み処理およびレーベル面の印刷処理を行うメディア処理装置１と、メディア処理装置１を制御する制御装置２と、で構成されている。なお、制御装置は、ＰＣやサーバ等により構成される。
【手続補正６】
【補正対象書類名】明細書
【補正対象項目名】０００６
【補正方法】変更
【補正の内容】
【０００６】
本発明の印刷データ処理方法は、書き込みデータに基づいてメディアの記録面にデータを書き込む書き込み処理と、印刷データに基づいてメディアのレーベル面に印刷する印刷処理と、を行うメディア処理装置を制御するための印刷データ処理方法であって、メディアの発行処理の実行を指示するための発行指示を行う発行指示ステップと、発行指示をトリガとして、任意のアプリケーションにより生成されたレーベル面に印刷するための画像データを取得する画像データ取得ステップと、画像データに基づいて印刷データを生成する印刷データ生成ステップと、発行指示をトリガとして、書き込み処理に用いるデータを取得するデータ取得ステップと、メディア処理装置に印刷データおよび書き込みデータを関連付けて出力するデータ出力ステップと、を備えたことを特徴とする。
【手続補正７】
【補正対象書類名】明細書
【補正対象項目名】０００７
【補正方法】変更
【補正の内容】
【０００７】
本発明の印刷ドライバは、書き込みデータに基づいてメディアの記録面にデータを書き込む書き込み処理と、印刷データに基づいてメディアのレーベル面に印刷する印刷処理と、を行うメディア処理装置を制御するための印刷ドライバであって、任意のアプリケーションにより生成されたレーベル面に印刷するための画像データを取得する画像データ取得部と、画像データに基づいて印刷データを生成する印刷データ生成部と、書き込み処理に用いるデータを取得するためのデータ取得部と、メディア処理装置に、印刷データおよび書き込みデータを関連付けて出力する出力制御部と、を備えたことを特徴とする。
【手続補正８】
【補正対象書類名】明細書
【補正対象項目名】０００９
【補正方法】変更
【補正の内容】
【０００９】
この場合、データ取得ステップは、１以上のコンテンツデータを取得するためのものであり、所定のフォーマットに基づいて、取得した１以上のコンテンツデータを集約したイメージファイルを生成するイメージファイル生成ステップ、をさらに備え、データ出力ステップにおいて、生成したイメージファイルを書き込みデータとして出力することが好ましい。
【手続補正９】
【補正対象書類名】明細書
【補正対象項目名】００３９
【補正方法】変更
【補正の内容】
【００３９】
次に、図３のフローチャートを参照し、本実施形態のメディア処理システムＳＹのメディア作成処理（印刷データ処理方法）について説明する。先ず、制御装置２は、ユーザーの操作により任意の画像データに対しての印刷画面１８を表示する（Ｓ０１）。なお、このときユーザーによる印刷設定画面１７の各種設定が終了しているものとする。そして、印刷画面１８の印刷ボタン１９の押下信号を受信すると（Ｓ０２）、記録制御部１４、搬送制御部１５、および印刷制御部１６に対してメディアの発行処理の実行を指示するための発行指示を行う（Ｓ０３）。この発行指示をトリガとして、データ変換部２０により編集アプリケーションＡ，Ｂから画像データを取得して（Ｓ０４）、印刷データを生成する（Ｓ０５）。そして、印刷設定画面１７のコンテンツデータ選択領域４６にドラッグ＆ドロップされたコンテンツデータをコンテンツデータ記憶部１２から取得し（Ｓ０６）、メディア処理装置１において書き込みデータとなるイメージファイルを生成する（Ｓ０７）。そして、生成した印刷データおよびイメージファイルを関連付けてメディア処理装置１に出力する（Ｓ０８）。一方、印刷データおよびイメージファイルを取得したメディア処理装置１は、ディスクＤの記録面にイメージファイルを書き込みデータとして書き込む書き込み処理を実行し（Ｓ０９）、当該ディスクＤのレーベル面に印刷データに基づいて印刷処理を実行する（Ｓ１０）。
【手続補正１０】
【補正対象書類名】明細書
【補正対象項目名】００４１
【補正方法】変更
【補正の内容】
【００４１】
このように、上記したメディア処理システムによれば、印刷ドライバ１０が、ディスクＤに書き込むコンテンツデータを取得し、生成されたイメージファイルとレーベル面に印刷する印刷データとを関連付けて出力するため、一連の動作でメディア処理装置１に書き込み処理および印刷処理を実行させることができる。また、印刷ドライバ１０の印刷指示をトリガとして処理を実行させるため、一般的なソフトウェアで作成したデータをレーベル面に印刷する場合であっても、印刷処理および書き込み処理を一連の動作で実行させることができる。